(57)【要約】【課題】本発明は車両を洗った後の廃水の収集リサイクル設備を開示した。【解決手段】フィルターと、前記フィルターを支持する二つの支持ブロックとを含み、前記フィルターの中にはまた駆動チャンバが設置され、前記駆動チャンバの下端壁の中には濾過チャンバと攪拌チャンバとが設置され、前記濾過チャンバの中には絶えず濾過できる加圧濾過機構が設置され、前記加圧濾過機構は上端が前記駆動チャンバの中に位置している回転軸を含み、前記攪拌チャンバの中には攪拌機構が設置され、前記駆動チャンバの中には前記回転軸と前記攪拌軸とを駆動して回転させる駆動機構が設置され、当該装置は作動する時に加圧濾過を自動的に実現でき、これにより廃水の濾過処理効率を上げ、且つ装置が濾過の過程において、フィルターケーキへの取り除きを自動的に完成でき、次回の濾過の効果に影響することを避ける。【選択図】図１
2020203273.tif 000002
【特許請求の範囲】
【請求項１】
正面視で、フィルターと、前記フィルターを支持する二つの支持ブロックとを含み、前記フィルターの中にはまた駆動チャンバが設置され、前記駆動チャンバの下端壁の中には濾過チャンバと攪拌チャンバとが設置され、前記濾過チャンバの中には絶えず濾過できる加圧濾過機構が設置され、前記加圧濾過機構は上端が前記駆動チャンバの中に位置している回転軸を含み、前記攪拌チャンバの中には攪拌機構が設置され、前記攪拌機構は上端が前記駆動チャンバの中に位置している攪拌軸を含み、
前記駆動チャンバの中には前記回転軸と前記攪拌軸とを駆動して回転させる駆動機構が設置され、前記駆動機構は二つのラック板と、二つの前記ラック板に連結された連結板とを含み、前記回転軸の上端には前記ラック板と噛み合うことができる回転ギヤが固定され、前記攪拌軸の上端には攪拌ギヤが固定され、後側の前記ラック板の中には前方へ開口した電磁チャンバが設置され、前記電磁チャンバの中には前端が前記攪拌ギヤと噛み合っているラックブロックと、前記ラックブロックと互いに反発し又は吸引しあうことができる電磁石が設置され、前記駆動チャンバの上下端壁の中にはいずれも前記駆動チャンバに連通したバネチャンバが設置され、前記バネチャンバの中にはバネブロックと、前記バネブロックを復帰させることができる伸縮バネとが設置され、前記バネブロックの中には押出溝が設置され、前記押出溝の中には前記ラック板を押すことができる押出ブロックと、前記押出ブロックを復帰させることができる押出バネとが設置され、前記  押出ブロックの一端にはまた一端が前記濾過チャンバの上端壁を貫通しており、且つ前記濾過チャンバの中に位置しているロープが設置され、前記ロープの下端には浮き板が固定され、前記回転ギヤの上側には二つの互いに反発しあっている電磁板が設置され、且つ二つの前記電磁板の間が二つの圧縮バネにより連結され、二つの前記電磁板の間には四つの回転ロッドが設置され、二つずつの前記回転ロッドの一端が前記連結軸を通じてヒンジにより連結され、二つの前記ラック板がそれぞれ前記回転ギヤと噛み合っており、これにより前記攪拌ギヤが前記回転ギヤを制御して順方向や逆方向へ回転させ、これにより前記加圧濾過機構を制御して絶えず加圧して濾過し、
前記濾過チャンバと前記攪拌チャンバとの間にはフィルターケーキ取り除き機構が設置され、毎回前記加圧濾過機構が作動を停止する時、前記フィルターケーキ取り除き機構がフィルターケーキの排出を自動的に実現することを特徴とする車両を洗った後の廃水の収集リサイクル設備。
【請求項２】
前記加圧濾過機構は外部空間と前記濾過チャンバと連通した入力パイプを含み、前記入力パイプの左端壁には前記入力パイプと前記濾過チャンバと連通した連通パイプが設置され、前記濾過チャンバの上端壁には前記入力パイプの両側に位置しており、且つ下方へ開口した二つのバネ溝が設置され、左側の前記バネ溝の上端壁が前記連通パイプを貫通しており、前記バネ溝の中には下端が前記濾過チャンバの中に位置しているバネロッドと、前記バネロッドを復帰させることができる復帰バネとが設置され、左側の前記バネロッドの中には前記バネロッドを貫通しており、且つ前記連通パイプに連通できる貫通孔が設置され、前記濾過チャンバの中には前記入力パイプを閉鎖でき、且つ前記バネロッドの下端と固定的に連結された閉鎖板が設置され、前記回転軸の下端には加圧板がネジ山により連結され、前側の前記ロープの下端が前記加圧板を貫通しており、前記加圧板の上端面にはまた上側の前記バネブロックに連結された弾性ひもが固定されたことを特徴とする請求項１に記載の車両を洗った後の廃水の収集リサイクル設備。
【請求項３】
前記攪拌機構はまた前記攪拌軸の下端に固定された八つの攪拌羽根を含み、前記攪拌チャンバの上端壁には外部空間に連通しており、且つ凝集剤を加えることができる加えパイプが設置され、前記攪拌チャンバの下端壁には外部空間に連通している排出パイプが設置され、前記排出パイプの中には第一電磁スイッチが設置され、前記攪拌チャンバの右端壁には外部空間に連通している排水パイプが設置され、前記排水パイプの中には第二電磁スイッチと濾過膜とが設置され、前記攪拌軸の上側には前記駆動チャンバの上端壁に固定され、且つ前記攪拌軸と動力が伝達できるように連結されたモータが設置されたことを特徴とする請求項１に記載の車両を洗った後の廃水の収集リサイクル設備。
【請求項４】
前記駆動機構はまた前記駆動チャンバの左端壁と前記連結板と連結された連結バネを含み、前記電磁板の中には前記駆動チャンバに連通した二つの回転溝が設置され、前記回転溝の上下端壁の間には旋転軸が固定され、前記回転ロッドの一端が前記回転溝の中に位置しており、且つ前記旋転軸と回転できるように連結されたことを特徴とする請求項１に記載の車両を洗った後の廃水の収集リサイクル設備。
【請求項５】
前記フィルターケーキ取り除き機構はまた摩擦チャンバを含み、前記摩擦チャンバの左端壁の上側が前記濾過チャンバに連通しており、前記摩擦チャンバの中には前記加圧板の右端と接触して当接している摩擦ロッドが設置され、前記摩擦チャンバの下端壁には前記摩擦ロッドと互いに反発し又は吸引しあうことができる電磁ブロックが固定され、前記摩擦チャンバの上下端壁にはいずれも一端が前記摩擦ロッドと接触している制限バネが固定され、前記摩擦ロッドの中には前記摩擦ロッドを貫通している四つの流通孔が設置され、前記摩擦チャンバの右端壁には前記攪拌チャンバに連通した二つの濾過パイプが設置され、前記濾過パイプの中にはフィルタースクリーンが設置され、上側の前記フィルタースクリーンの下端壁には下側の前記濾過パイプを貫通しており、且つ外部空間に連通しているフィルターケーキ取り除きパイプが設置され、前記濾過パイプの下端壁の中には前記フィルターケーキ取り除きパイプを貫通している切断チャンバが設置され、前記切断チャンバの中には切断ブロックと、前記切断ブロックを復帰させることができる引っ張りバネとが設置され、前記切断ブロックの中には前記フィルターケーキ取り除きパイプに連通でき、且つ前記切断ブロックを貫通しているフィルターケーキ取り除き孔が設置され、前記切断チャンバの左端壁には前記摩擦チャンバに連通した伸縮チャンバが設置され、前記伸縮チャンバの中には前記摩擦ロッドと接触している伸縮ブロックが設置され、前記伸縮チャンバの上下端壁にはいずれも一端が前記伸縮ブロックと接触しているリミットバネが固定され、前記伸縮ブロックの一端には右端が前記截断ブロックと連結された細ひもが固定されたことを特徴とする請求項１又は請求項２に記載の車両を洗った後の廃水の収集リサイクル設備。
【請求項６】
前記加圧板と前記摩擦ロッドとの間の摩擦力が二つの前記制限バネの弾力よりはるかに大きく、前記加圧板と前記摩擦ロッドとの間の摩擦力が二つの前記制限バネの弾力と、前記電磁ブロックと前記摩擦ロッドとの間の斥力との和よりはるかに小さいことを特徴とする請求項２又は請求項５に記載の車両を洗った後の廃水の収集リサイクル設備。
【請求項７】
前記伸縮ブロックと前記摩擦ロッドとの間の摩擦力が二つの前記リミットバネの弾力よりはるかに大きいことを特徴とする請求項５に記載の車両を洗った後の廃水の収集リサイクル設備。
【請求項８】
後側の前記ラック板の右端が前記攪拌ギヤの後側に位置しており、前側の前記ラック板の右端が前記攪拌ギヤの前側に位置していないことを特徴とする請求項１に記載の車両を洗った後の廃水の収集リサイクル設備。
【発明の詳細な説明】
【技術分野】
【０００１】
本発明は資源リサイクル分野を取り上げて、具体的には車両を洗った後の廃水の収集リサイクル設備である。
【背景技術】
【０００２】
社会の進歩と都市の発展につれて、車を持つ家庭がだんだん多くなり、道にある車両も日増しに多くなり、車両のきれいな外見は通常車を洗うことにより実現され、しかし、車を洗う時にもし廃水の収集をちゃんとしなかったら、環境を汚染し、しかも水資源の浪費がひどくなる。
しかし、現段階において、洗車廃水の回収の中、ほとんどは自然沈殿濾過の方式により固体廃棄顆粒を取り出し、濾過効率が高くなく、且つ処理時間が長く、大量の廃水処理に不利である。
【先行技術文献】
【特許文献】
【０００３】
【特許文献１】中国特許出願公開第１０６８３０１４１号明細書
【発明の概要】
【発明が解決しようとする課題】
【０００４】
本発明は車両を洗った後の廃水の収集リサイクル設備を提供し、濾過効率が低いなどの問題を解決し、濾過効率を上げることを目的とする。
【課題を解決するための手段】
【０００５】
本発明は以下の技術プランを通じて実現される：  本発明の車両を洗った後の廃水の収集リサイクル設備は、フィルターと、前記フィルターを支持する二つの支持ブロックとを含み、前記フィルターの中にはまた駆動チャンバが設置され、前記駆動チャンバの下端壁の中には濾過チャンバと攪拌チャンバとが設置され、前記濾過チャンバの中には絶えず濾過できる加圧濾過機構が設置され、前記加圧濾過機構は上端が前記駆動チャンバの中に位置している回転軸を含み、前記攪拌チャンバの中には攪拌機構が設置され、前記攪拌機構は上端が前記駆動チャンバの中に位置している攪拌軸を含み、
前記駆動チャンバの中には前記回転軸と前記攪拌軸とを駆動して回転させる駆動機構が設置され、前記駆動機構は二つのラック板と、二つの前記ラック板に連結された連結板とを含み、前記回転軸の上端には前記ラック板と噛み合うことができる回転ギヤが固定され、前記攪拌軸の上端には攪拌ギヤが固定され、後側の前記ラック板の中には前方へ開口した電磁チャンバが設置され、前記電磁チャンバの中には前端が前記攪拌ギヤと噛み合っているラックブロックと、前記ラックブロックと互いに反発し又は吸引しあうことができる電磁石が設置され、前記駆動チャンバの上下端壁の中にはいずれも前記駆動チャンバに連通したバネチャンバが設置され、前記バネチャンバの中にはバネブロックと、前記バネブロックを復帰させることができる伸縮バネとが設置され、前記バネブロックの中には押出溝が設置され、前記押出溝の中には前記ラック板を押すことができる押出ブロックと、前記押出ブロックを復帰させることができる押出バネとが設置され、前記  押出ブロックの一端にはまた一端が前記濾過チャンバの上端壁を貫通しており、且つ前記濾過チャンバの中に位置しているロープが設置され、前記ロープの下端には浮き板が固定され、前記回転ギヤの上側には二つの互いに反発しあっている電磁板が設置され、且つ二つの前記電磁板の間が二つの圧縮バネにより連結され、二つの前記電磁板の間には四つの回転ロッドが設置され、二つずつの前記回転ロッドの一端が前記連結軸を通じてヒンジにより連結され、二つの前記ラック板がそれぞれ前記回転ギヤと噛み合っており、これにより前記攪拌ギヤが前記回転ギヤを制御して順方向や逆方向へ回転させ、これにより前記加圧濾過機構を制御して絶えず加圧して濾過し、
前記濾過チャンバと前記攪拌チャンバとの間にはフィルターケーキ取り除き機構が設置され、毎回前記加圧濾過機構が作動を停止する時、前記フィルターケーキ取り除き機構がフィルターケーキの排出を自動的に実現する。
【０００６】
好ましくは、前記加圧濾過機構は外部空間と前記濾過チャンバと連通した入力パイプを含み、前記入力パイプの左端壁には前記入力パイプと前記濾過チャンバと連通した連通パイプが設置され、前記濾過チャンバの上端壁には前記入力パイプの両側に位置しており、且つ下方へ開口した二つのバネ溝が設置され、左側の前記バネ溝の上端壁が前記連通パイプを貫通しており、前記バネ溝の中には下端が前記濾過チャンバの中に位置しているバネロッドと、前記バネロッドを復帰させることができる復帰バネとが設置され、左側の前記バネロッドの中には前記バネロッドを貫通しており、且つ前記連通パイプに連通できる貫通孔が設置され、前記濾過チャンバの中には前記入力パイプを閉鎖でき、且つ前記バネロッドの下端と固定的に連結された閉鎖板が設置され、前記回転軸の下端には加圧板がネジ山により連結され、前側の前記ロープの下端が前記加圧板を貫通しており、前記加圧板の上端面にはまた上側の前記バネブロックに連結された弾性ひもが固定された。
【０００７】
好ましくは、前記攪拌機構はまた前記攪拌軸の下端に固定された八つの攪拌羽根を含み、前記攪拌チャンバの上端壁には外部空間に連通しており、且つ凝集剤を加えることができる加えパイプが設置され、前記攪拌チャンバの下端壁には外部空間に連通している排出パイプが設置され、前記排出パイプの中には第一電磁スイッチが設置され、前記攪拌チャンバの右端壁には外部空間に連通している排水パイプが設置され、前記排水パイプの中には第二電磁スイッチと濾過膜とが設置され、前記攪拌軸の上側には前記駆動チャンバの上端壁に固定され、且つ前記攪拌軸と動力が伝達できるように連結されたモータが設置された。
【０００８】
好ましくは、前記駆動機構はまた前記駆動チャンバの左端壁と前記連結板と連結された連結バネを含み、前記電磁板の中には前記駆動チャンバに連通した二つの回転溝が設置され、前記回転溝の上下端壁の間には旋転軸が固定され、前記回転ロッドの一端が前記回転溝の中に位置しており、且つ前記旋転軸と回転できるように連結された。
【０００９】
好ましくは、前記フィルターケーキ取り除き機構はまた摩擦チャンバを含み、前記摩擦チャンバの左端壁の上側が前記濾過チャンバに連通しており、前記摩擦チャンバの中には前記加圧板の右端と接触して当接している摩擦ロッドが設置され、前記摩擦チャンバの下端壁には前記摩擦ロッドと互いに反発し又は吸引しあうことができる電磁ブロックが固定され、前記摩擦チャンバの上下端壁にはいずれも一端が前記摩擦ロッドと接触している制限バネが固定され、前記摩擦ロッドの中には前記摩擦ロッドを貫通している四つの流通孔が設置され、前記摩擦チャンバの右端壁には前記攪拌チャンバに連通した二つの濾過パイプが設置され、前記濾過パイプの中にはフィルタースクリーンが設置され、上側の前記フィルタースクリーンの下端壁には下側の前記濾過パイプを貫通しており、且つ外部空間に連通しているフィルターケーキ取り除きパイプが設置され、前記濾過パイプの下端壁の中には前記フィルターケーキ取り除きパイプを貫通している切断チャンバが設置され、前記切断チャンバの中には切断ブロックと、前記切断ブロックを復帰させることができる引っ張りバネとが設置され、前記切断ブロックの中には前記フィルターケーキ取り除きパイプに連通でき、且つ前記切断ブロックを貫通しているフィルターケーキ取り除き孔が設置され、前記切断チャンバの左端壁には前記摩擦チャンバに連通した伸縮チャンバが設置され、前記伸縮チャンバの中には前記摩擦ロッドと接触している伸縮ブロックが設置され、前記伸縮チャンバの上下端壁にはいずれも一端が前記伸縮ブロックと接触しているリミットバネが固定され、前記伸縮ブロックの一端には右端が前記截断ブロックと連結された細ひもが固定された。
【００１０】
好ましくは、前記加圧板と前記摩擦ロッドとの間の摩擦力が二つの前記制限バネの弾力よりはるかに大きく、前記加圧板と前記摩擦ロッドとの間の摩擦力が二つの前記制限バネの弾力と、前記電磁ブロックと前記摩擦ロッドとの間の斥力との和よりはるかに小さい。
【００１１】
好ましくは、前記伸縮ブロックと前記摩擦ロッドとの間の摩擦力が二つの前記リミットバネの弾力よりはるかに大きい。
【００１２】
好ましくは、後側の前記ラック板の右端が前記攪拌ギヤの後側に位置しており、前側の前記ラック板の右端が前記攪拌ギヤの前側に位置していない。
【発明の効果】
【００１３】
本発明の有益効果は：本発明は構成が簡単で、操作が便利で、当該装置は作動する時に加圧濾過を自動的に実現でき、これにより廃水の濾過処理効率を上げ、且つ装置が濾過の過程において、フィルターケーキへの取り除きを自動的に完成でき、次回の濾過の効果に影響することを避ける。
【図面の簡単な説明】
【００１４】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の実施例の構成模式図
【図２】図２は本発明の実施例のＡ―Ａの構成模式図
【図３】図３は本発明の実施例の回転ギヤの上側構成の上面拡大模式図
【図４】図４は本発明の実施例の駆動機構の部分断面の正面拡大構成模式図
【図５】図５は本発明の実施例の後側ラック板の部分断面の正面拡大構成模式図
【発明を実施するための形態】
【００１６】
図１〜５を参照し、本発明の車両を洗った後の廃水の収集リサイクル設備は、フィルター１と、前記フィルター１を支持する二つの支持ブロック６０とを含み、前記フィルター１の中にはまた駆動チャンバ３３が設置され、前記駆動チャンバ３３の下端壁の中には濾過チャンバ３７と攪拌チャンバ２２とが設置され、前記濾過チャンバ３７の中には絶えず濾過できる加圧濾過機構５６が設置され、前記加圧濾過機構５６は上端が前記駆動チャンバ３３の中に位置している回転軸３２を含み、前記攪拌チャンバ２２の中には攪拌機構５８が設置され、前記攪拌機構５８は上端が前記駆動チャンバ３３の中に位置している攪拌軸２４を含み、前記駆動チャンバ３３の中には前記回転軸３２と前記攪拌軸２４とを駆動して回転させる駆動機構５９が設置され、前記駆動機構５９は二つのラック板２７と、二つの前記ラック板２７に連結された連結板５２とを含み、前記回転軸３２の上端には前記ラック板２７と噛み合うことができる回転ギヤ４５が固定され、前記攪拌軸２４の上端には攪拌ギヤ２５が固定され、後側の前記ラック板２７の中には前方へ開口した電磁チャンバ６３が設置され、前記電磁チャンバ６３の中には前端が前記攪拌ギヤ２５と噛み合っているラックブロック６４と、前記ラックブロック６４と互いに反発し又は吸引しあうことができる電磁石６５が設置され、前記駆動チャンバ３３の上下端壁の中にはいずれも前記駆動チャンバ３３に連通したバネチャンバ３９が設置され、前記バネチャンバ３９の中にはバネブロック４０と、前記バネブロック４０を復帰させることができる伸縮バネ４１とが設置され、前記バネブロック４０の中には押出溝４３が設置され、前記押出溝４３の中には前記ラック板２７を押すことができる押出ブロック４４と、前記押出ブロック４４を復帰させることができる押出バネ４２とが設置され、前記  押出ブロック４４の一端にはまた一端が前記濾過チャンバ３７の上端壁を貫通しており、且つ前記濾過チャンバ３７の中に位置しているロープ４８が設置され、前記ロープ４８の下端には浮き板６１が固定され、前記回転ギヤ４５の上側には二つの互いに反発しあっている電磁板４７が設置され、且つ二つの前記電磁板４７の間が二つの圧縮バネ４９により連結され、二つの前記電磁板４７の間には四つの回転ロッド４６が設置され、二つずつの前記回転ロッド４６の一端が前記連結軸５０を通じてヒンジにより連結され、二つの前記ラック板２７がそれぞれ前記回転ギヤ４５と噛み合っており、これにより前記攪拌ギヤ２４が前記回転ギヤ４５を制御して順方向や逆方向へ回転させ、これにより前記加圧濾過機構５６を制御して絶えず加圧して濾過し、前記濾過チャンバ３７と前記攪拌チャンバ２２との間にはフィルターケーキ取り除き機構６７が設置され、毎回前記加圧濾過機構５６が作動を停止する時、前記フィルターケーキ取り除き機構６７がフィルターケーキの排出を自動的に実現する。
【００１７】
有益的には、前記加圧濾過機構５６は外部空間と前記濾過チャンバ３７と連通した入力パイプ３５を含み、前記入力パイプ３５の左端壁には前記入力パイプ３５と前記濾過チャンバ３７と連通した連通パイプ１０が設置され、前記濾過チャンバ３７の上端壁には前記入力パイプ３５の両側に位置しており、且つ下方へ開口した二つのバネ溝２が設置され、左側の前記バネ溝２の上端壁が前記連通パイプ１０を貫通しており、前記バネ溝２の中には下端が前記濾過チャンバ３７の中に位置しているバネロッド３と、前記バネロッド３を復帰させることができる復帰バネ３６とが設置され、左側の前記バネロッド３の中には前記バネロッド３を貫通しており、且つ前記連通パイプ１０に連通できる貫通孔３４が設置され、前記濾過チャンバ３７の中には前記入力パイプ３５を閉鎖でき、且つ前記バネロッド３の下端と固定的に連結された閉鎖板４が設置され、前記回転軸３２の下端には加圧板５がネジ山により連結され、前側の前記ロープ４８の下端が前記加圧板５を貫通しており、前記加圧板５の上端面にはまた上側の前記バネブロック４０に連結された弾性ひも３８が固定された。
【００１８】
有益的には、前記攪拌機構５８はまた前記攪拌軸２４の下端に固定された八つの攪拌羽根２３を含み、前記攪拌チャンバ２２の上端壁には外部空間に連通しており、且つ凝集剤を加えることができる加えパイプ２６が設置され、前記攪拌チャンバ２２の下端壁には外部空間に連通している排出パイプ１８が設置され、前記排出パイプ１８の中には第一電磁スイッチ１９が設置され、前記攪拌チャンバ２２の右端壁には外部空間に連通している排水パイプ２１が設置され、前記排水パイプ２１の中には第二電磁スイッチ５１と濾過膜２０とが設置され、前記攪拌軸２４の上側には前記駆動チャンバ３３の上端壁に固定され、且つ前記攪拌軸２４と動力が伝達できるように連結されたモータ２８が設置された。
【００１９】
有益的には、前記駆動機構５９はまた前記駆動チャンバ３３の左端壁と前記連結板５２と連結された連結バネ６２を含み、前記電磁板４７の中には前記駆動チャンバ３３に連通した二つの回転溝５４が設置され、前記回転溝５４の上下端壁の間には旋転軸５３が固定され、前記回転ロッド４６の一端が前記回転溝５４の中に位置しており、且つ前記旋転軸５３と回転できるように連結された。
【００２０】
有益的には、前記フィルターケーキ取り除き機構６７はまた摩擦チャンバ３１を含み、前記摩擦チャンバ３１の左端壁の上側が前記濾過チャンバ３７に連通しており、前記摩擦チャンバ３１の中には前記加圧板５の右端と接触して当接している摩擦ロッド５７が設置され、前記摩擦チャンバ３１の下端壁には前記摩擦ロッド５７と互いに反発し又は吸引しあうことができる電磁ブロック６６が固定され、前記摩擦チャンバ３１の上下端壁にはいずれも一端が前記摩擦ロッド５７と接触している制限バネ３０が固定され、前記摩擦ロッド５７の中には前記摩擦ロッド５７を貫通している四つの流通孔６が設置され、前記摩擦チャンバ３１の右端壁には前記攪拌チャンバ２２に連通した二つの濾過パイプ１１が設置され、前記濾過パイプ１１の中にはフィルタースクリーン１７が設置され、上側の前記フィルタースクリーン１７の下端壁には下側の前記濾過パイプ１１を貫通しており、且つ外部空間に連通しているフィルターケーキ取り除きパイプ１５が設置され、前記濾過パイプ１１の下端壁の中には前記フィルターケーキ取り除きパイプ１５を貫通している切断チャンバ１３が設置され、前記切断チャンバ１３の中には切断ブロック１６と、前記切断ブロック１６を復帰させることができる引っ張りバネ１４とが設置され、前記切断ブロック１６の中には前記フィルターケーキ取り除きパイプ１５に連通でき、且つ前記切断ブロック１６を貫通しているフィルターケーキ取り除き孔５５が設置され、前記切断チャンバ１３の左端壁には前記摩擦チャンバ３１に連通した伸縮チャンバ７が設置され、前記伸縮チャンバ７の中には前記摩擦ロッド５７と接触している伸縮ブロック９が設置され、前記伸縮チャンバ７の上下端壁にはいずれも一端が前記伸縮ブロック９と接触しているリミットバネ８が固定され、前記伸縮ブロック９の一端には右端が前記截断ブロック１６と連結された細ひも１２が固定された。
【００２１】
装置全体の機械作動の順序：
【００２２】
１．入力パイプ３５を通して濾過チャンバ３７の中に洗車廃水を入れ、廃水が後側の浮き板６１を上昇させ、これにより後側のロープ４８が緩み、これにより押出ブロック４４が押出バネ４２の作用のもとで前方へ押し出され、これにより後側のラック板２７が前方へ運動し、これによりラックブロック６４が前方へ運動し、これにより後側のラック板２７が回転ギヤ４５と噛み合い、ラックブロック６４が攪拌ギヤ２４と噛み合う。
【００２３】
２．モータ２８が作動して攪拌軸２４を連動させて回転させ、これにより攪拌ギヤ２５と攪拌羽根２３とを連動させて回転させ、攪拌ギヤ２５がラックブロック６４を連動させて左方へ運動させ、これによりラック板２７を連動させて左方へ運動させ、これにより回転ギヤ４５を回転させ、且つ連結バネ６２が圧縮され、回転ギヤ４５の回転が回転軸３２を連動させて回転させ、これにより加圧板５を上昇させ、これにより摩擦ロッド５７を上昇させ、これにより二つの流通孔６を濾過パイプ１１に連通させ、加圧板５の上昇とともに、廃水が濾過パイプ１１の中に押され、フィルタースクリーン１７の作用のもとで濾過され、濾過された後の水が攪拌チャンバ２２の中に流れ込み、攪拌チャンバ２２の中に凝集剤を入れ、これにより攪拌羽根２３の作用のもとで反応して沈殿を生じる。
【００２４】
３．加圧板５が一番上側まで上昇する時、加圧板５が二つの電磁板２７を制御して反発しあうことを停止させ、これにより二つの電磁板２７が圧縮バネ４９の作用のもとで互いに近づき、これにより回転ロッド４６が回転してラック板２７を押し、これによりラック板２７が回転ギヤ４５から離れ、ラックブロック６４が攪拌ギヤ２４から離れ、ラック板２７と連結板５２とが連結バネ６２の作用のもとで復帰し、加圧板５が一番上側まで上昇する時、閉鎖板４を連動させて上昇させ、これにより閉鎖板４が入力パイプ３５と濾過チャンバ３７との直接連通を閉鎖し、貫通孔３４が入力パイプ３５と連通パイプ１０と連通し、これにより入力パイプ３５から入った廃水が連通パイプ１０を通して加圧板５の下側に入る。
【００２５】
４．加圧板５が上昇する時、加圧板５が摩擦ロッド５７を連動させて上方へ運動させ、これにより伸縮ブロック９を連動させて上方へ運動させ、細ひも１２の伝動により切断ブロック１６を連動させて左方へ運動させ、これにより切断ブロック１６がフィルターケーキ取り除きパイプ１５を切断し、加圧板５が上昇を停止する時、電磁ブロック６６が作動して摩擦ロッド５７を復帰させ、これにより伸縮ブロック９を復帰させ、これにより切断ブロック１６を復帰させ、これによりフィルターケーキ取り除き孔５５がフィルターケーキ取り除きパイプ１５に連通し、これにより濾過で生じたフィルターケーキを排出し、摩擦ロッド５７が濾過パイプ１１と濾過チャンバ３７との連通を閉鎖する。
【００２６】
５．加圧板５の下側に再び水が満ちて前側の浮き板４８を上昇させる時、前側の押出ブロック４４を押し出し、これにより前側のラック板２７が後方へ運動して回転ギヤ４５と噛み合い、後側のラック板２７が後方へ運動し、この時、電磁石６５が作動してラックブロック６４と反発しあい、これによりラックブロック６４が攪拌ギヤ２４と噛み合い、これにより攪拌ギヤ２４が正常に回転する時、回転ギヤ４５が逆方向へ回転し、これにより回転軸３２が逆方向へ回転し、これにより加圧板５を下降させ、これにより再びフィルターケーキ取り除き機構６７を作動させ、濾過を行い、加圧板５が一番下側まで運動する時、電磁石６５が作動してラックブロック６４と吸引しあい、電磁板５２が加圧板５の制御のもとで反発しあうことを停止し、これによりラック板２７が再び復帰し、この時、電磁ブロック６６が作動してフィルターケーキ取り除き機構６７を復帰させ、装置が復帰を完成する。
【００２７】
６．凝集により沈殿を生じた後、第一電磁スイッチ１９と第二電磁スイッチ５１とをオンにし、これにより沈殿と水を排出する。
【００２８】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。
【図１】
2020203273.tif 000003
【図２】
2020203273.tif 000004
【図３】
2020203273.tif 000005
【図４】
2020203273.tif 000006
【図５】
2020203273.tif 000007
【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
正面視で、フィルターと、前記フィルターを支持する二つの支持ブロックとを含み、前記フィルターの中にはまた駆動チャンバが設置され、前記駆動チャンバの下端壁の中には濾過チャンバと攪拌チャンバとが設置され、前記濾過チャンバの中には絶えず濾過できる加圧濾過機構が設置され、前記加圧濾過機構は上端が前記駆動チャンバの中に位置している回転軸を含み、前記攪拌チャンバの中には攪拌機構が設置され、前記攪拌機構は上端が前記駆動チャンバの中に位置している攪拌軸を含み、
前記駆動チャンバの中には前記回転軸と前記攪拌軸とを駆動して回転させる駆動機構が設置され、前記駆動機構は二つのラック板と、二つの前記ラック板に連結された連結板とを含み、前記回転軸の上端には前記ラック板と噛み合うことができる回転ギヤが固定され、前記攪拌軸の上端には攪拌ギヤが固定され、後側の前記ラック板の中には前方へ開口した電磁チャンバが設置され、前記電磁チャンバの中には前端が前記攪拌ギヤと噛み合っているラックブロックと、前記ラックブロックと互いに反発し又は吸引しあうことができる電磁石が設置され、前記駆動チャンバの上下端壁の中にはいずれも前記駆動チャンバに連通したバネチャンバが設置され、前記バネチャンバの中にはバネブロックと、前記バネブロックを復帰させることができる伸縮バネとが設置され、前記バネブロックの中には押出溝が設置され、前記押出溝の中には前記ラック板を押すことができる押出ブロックと、前記押出ブロックを復帰させることができる押出バネとが設置され、前記  押出ブロックの一端にはまた一端が前記濾過チャンバの上端壁を貫通しており、且つ前記濾過チャンバの中に位置しているロープが設置され、前記ロープの下端には浮き板が固定され、前記回転ギヤの上側には二つの互いに反発しあっている電磁板が設置され、且つ二つの前記電磁板の間が二つの圧縮バネにより連結され、二つの前記電磁板の間には四つの回転ロッドが設置され、二つずつの前記回転ロッドの一端が連結軸を通じてヒンジにより連結され、二つの前記ラック板がそれぞれ前記回転ギヤと噛み合っており、これにより前記攪拌ギヤが前記回転ギヤを制御して順方向や逆方向へ回転させ、これにより前記加圧濾過機構を制御して絶えず加圧して濾過し、
前記濾過チャンバと前記攪拌チャンバとの間にはフィルターケーキ取り除き機構が設置され、毎回前記加圧濾過機構が作動を停止する時、前記フィルターケーキ取り除き機構がフィルターケーキの排出を自動的に実現することを特徴とする車両を洗った後の廃水の収集リサイクル設備。
【請求項２】
前記加圧濾過機構は外部空間と前記濾過チャンバと連通した入力パイプを含み、前記入力パイプの左端壁には前記入力パイプと前記濾過チャンバと連通した連通パイプが設置され、前記濾過チャンバの上端壁には前記入力パイプの両側に位置しており、且つ下方へ開口した二つのバネ溝が設置され、左側の前記バネ溝の上端壁が前記連通パイプを貫通しており、前記バネ溝の中には下端が前記濾過チャンバの中に位置しているバネロッドと、前記バネロッドを復帰させることができる復帰バネとが設置され、左側の前記バネロッドの中には前記バネロッドを貫通しており、且つ前記連通パイプに連通できる貫通孔が設置され、前記濾過チャンバの中には前記入力パイプを閉鎖でき、且つ前記バネロッドの下端と固定的に連結された閉鎖板が設置され、前記回転軸の下端には加圧板がネジ山により連結され、前側の前記ロープの下端が前記加圧板を貫通しており、前記加圧板の上端面にはまた上側の前記バネブロックに連結された弾性ひもが固定されたことを特徴とする請求項１に記載の車両を洗った後の廃水の収集リサイクル設備。
【請求項３】
前記攪拌機構はまた前記攪拌軸の下端に固定された八つの攪拌羽根を含み、前記攪拌チャンバの上端壁には外部空間に連通しており、且つ凝集剤を加えることができる加えパイプが設置され、前記攪拌チャンバの下端壁には外部空間に連通している排出パイプが設置され、前記排出パイプの中には第一電磁スイッチが設置され、前記攪拌チャンバの右端壁には外部空間に連通している排水パイプが設置され、前記排水パイプの中には第二電磁スイッチと濾過膜とが設置され、前記攪拌軸の上側には前記駆動チャンバの上端壁に固定され、且つ前記攪拌軸と動力が伝達できるように連結されたモータが設置されたことを特徴とする請求項１に記載の車両を洗った後の廃水の収集リサイクル設備。
【請求項４】
前記駆動機構はまた前記駆動チャンバの左端壁と前記連結板と連結された連結バネを含み、前記電磁板の中には前記駆動チャンバに連通した二つの回転溝が設置され、前記回転溝の上下端壁の間には旋転軸が固定され、前記回転ロッドの一端が前記回転溝の中に位置しており、且つ前記旋転軸と回転できるように連結されたことを特徴とする請求項１に記載の車両を洗った後の廃水の収集リサイクル設備。
【請求項５】
前記フィルターケーキ取り除き機構はまた摩擦チャンバを含み、前記摩擦チャンバの左端壁の上側が前記濾過チャンバに連通しており、前記摩擦チャンバの中には前記加圧板の右端と接触して当接している摩擦ロッドが設置され、前記摩擦チャンバの下端壁には前記摩擦ロッドと互いに反発し又は吸引しあうことができる電磁ブロックが固定され、前記摩擦チャンバの上下端壁にはいずれも一端が前記摩擦ロッドと接触している制限バネが固定され、前記摩擦ロッドの中には前記摩擦ロッドを貫通している四つの流通孔が設置され、前記摩擦チャンバの右端壁には前記攪拌チャンバに連通した二つの濾過パイプが設置され、前記濾過パイプの中にはフィルタースクリーンが設置され、上側の前記フィルタースクリーンの下端壁には下側の前記濾過パイプを貫通しており、且つ外部空間に連通しているフィルターケーキ取り除きパイプが設置され、前記濾過パイプの下端壁の中には前記フィルターケーキ取り除きパイプを貫通している切断チャンバが設置され、前記切断チャンバの中には切断ブロックと、前記切断ブロックを復帰させることができる引っ張りバネとが設置され、前記切断ブロックの中には前記フィルターケーキ取り除きパイプに連通でき、且つ前記切断ブロックを貫通しているフィルターケーキ取り除き孔が設置され、前記切断チャンバの左端壁には前記摩擦チャンバに連通した伸縮チャンバが設置され、前記伸縮チャンバの中には前記摩擦ロッドと接触している伸縮ブロックが設置され、前記伸縮チャンバの上下端壁にはいずれも一端が前記伸縮ブロックと接触しているリミットバネが固定され、前記伸縮ブロックの一端には右端が前記切断ブロックと連結された細ひもが固定されたことを特徴とする請求項１又は請求項２に記載の車両を洗った後の廃水の収集リサイクル設備。
【請求項６】
前記加圧板と前記摩擦ロッドとの間の摩擦力が二つの前記制限バネの弾力よりはるかに大きく、前記加圧板と前記摩擦ロッドとの間の摩擦力が二つの前記制限バネの弾力と、前記電磁ブロックと前記摩擦ロッドとの間の斥力との和よりはるかに小さいことを特徴とする請求項５に記載の車両を洗った後の廃水の収集リサイクル設備。
【請求項７】
前記伸縮ブロックと前記摩擦ロッドとの間の摩擦力が二つの前記リミットバネの弾力よりはるかに大きいことを特徴とする請求項５に記載の車両を洗った後の廃水の収集リサイクル設備。
【請求項８】
後側の前記ラック板の右端が前記攪拌ギヤの後側に位置しており、前側の前記ラック板の右端が前記攪拌ギヤの前側に位置していないことを特徴とする請求項１に記載の車両を洗った後の廃水の収集リサイクル設備。
【手続補正２】
【補正対象書類名】明細書
【補正対象項目名】全文
【補正方法】変更
【補正の内容】
【発明の詳細な説明】
【技術分野】
【０００１】
本発明は資源リサイクル分野を取り上げて、具体的には車両を洗った後の廃水の収集リサイクル設備である。
【背景技術】
【０００２】
社会の進歩と都市の発展につれて、車を持つ家庭がだんだん多くなり、道にある車両も日増しに多くなり、車両のきれいな外見は通常車を洗うことにより実現され、しかし、車を洗う時にもし廃水の収集をちゃんとしなかったら、環境を汚染し、しかも水資源の浪費がひどくなる。
しかし、現段階において、洗車廃水の回収の中、ほとんどは自然沈殿濾過の方式により固体廃棄顆粒を取り出し、濾過効率が高くなく、且つ処理時間が長く、大量の廃水処理に不利である。
【先行技術文献】
【特許文献】
【０００３】
【特許文献１】中国特許出願公開第１０６８３０１４１号明細書
【発明の概要】
【発明が解決しようとする課題】
【０００４】
本発明は車両を洗った後の廃水の収集リサイクル設備を提供し、濾過効率が低いなどの問題を解決し、濾過効率を上げることを目的とする。
【課題を解決するための手段】
【０００５】
本発明は以下の技術プランを通じて実現される：  本発明の車両を洗った後の廃水の収集リサイクル設備は、フィルターと、前記フィルターを支持する二つの支持ブロックとを含み、前記フィルターの中にはまた駆動チャンバが設置され、前記駆動チャンバの下端壁の中には濾過チャンバと攪拌チャンバとが設置され、前記濾過チャンバの中には絶えず濾過できる加圧濾過機構が設置され、前記加圧濾過機構は上端が前記駆動チャンバの中に位置している回転軸を含み、前記攪拌チャンバの中には攪拌機構が設置され、前記攪拌機構は上端が前記駆動チャンバの中に位置している攪拌軸を含み、
前記駆動チャンバの中には前記回転軸と前記攪拌軸とを駆動して回転させる駆動機構が設置され、前記駆動機構は二つのラック板と、二つの前記ラック板に連結された連結板とを含み、前記回転軸の上端には前記ラック板と噛み合うことができる回転ギヤが固定され、前記攪拌軸の上端には攪拌ギヤが固定され、後側の前記ラック板の中には前方へ開口した電磁チャンバが設置され、前記電磁チャンバの中には前端が前記攪拌ギヤと噛み合っているラックブロックと、前記ラックブロックと互いに反発し又は吸引しあうことができる電磁石が設置され、前記駆動チャンバの上下端壁の中にはいずれも前記駆動チャンバに連通したバネチャンバが設置され、前記バネチャンバの中にはバネブロックと、前記バネブロックを復帰させることができる伸縮バネとが設置され、前記バネブロックの中には押出溝が設置され、前記押出溝の中には前記ラック板を押すことができる押出ブロックと、前記押出ブロックを復帰させることができる押出バネとが設置され、前記  押出ブロックの一端にはまた一端が前記濾過チャンバの上端壁を貫通しており、且つ前記濾過チャンバの中に位置しているロープが設置され、前記ロープの下端には浮き板が固定され、前記回転ギヤの上側には二つの互いに反発しあっている電磁板が設置され、且つ二つの前記電磁板の間が二つの圧縮バネにより連結され、二つの前記電磁板の間には四つの回転ロッドが設置され、二つずつの前記回転ロッドの一端が連結軸を通じてヒンジにより連結され、二つの前記ラック板がそれぞれ前記回転ギヤと噛み合っており、これにより前記攪拌ギヤが前記回転ギヤを制御して順方向や逆方向へ回転させ、これにより前記加圧濾過機構を制御して絶えず加圧して濾過し、
前記濾過チャンバと前記攪拌チャンバとの間にはフィルターケーキ取り除き機構が設置され、毎回前記加圧濾過機構が作動を停止する時、前記フィルターケーキ取り除き機構がフィルターケーキの排出を自動的に実現する。
【０００６】
好ましくは、前記加圧濾過機構は外部空間と前記濾過チャンバと連通した入力パイプを含み、前記入力パイプの左端壁には前記入力パイプと前記濾過チャンバと連通した連通パイプが設置され、前記濾過チャンバの上端壁には前記入力パイプの両側に位置しており、且つ下方へ開口した二つのバネ溝が設置され、左側の前記バネ溝の上端壁が前記連通パイプを貫通しており、前記バネ溝の中には下端が前記濾過チャンバの中に位置しているバネロッドと、前記バネロッドを復帰させることができる復帰バネとが設置され、左側の前記バネロッドの中には前記バネロッドを貫通しており、且つ前記連通パイプに連通できる貫通孔が設置され、前記濾過チャンバの中には前記入力パイプを閉鎖でき、且つ前記バネロッドの下端と固定的に連結された閉鎖板が設置され、前記回転軸の下端には加圧板がネジ山により連結され、前側の前記ロープの下端が前記加圧板を貫通しており、前記加圧板の上端面にはまた上側の前記バネブロックに連結された弾性ひもが固定された。
【０００７】
好ましくは、前記攪拌機構はまた前記攪拌軸の下端に固定された八つの攪拌羽根を含み、前記攪拌チャンバの上端壁には外部空間に連通しており、且つ凝集剤を加えることができる加えパイプが設置され、前記攪拌チャンバの下端壁には外部空間に連通している排出パイプが設置され、前記排出パイプの中には第一電磁スイッチが設置され、前記攪拌チャンバの右端壁には外部空間に連通している排水パイプが設置され、前記排水パイプの中には第二電磁スイッチと濾過膜とが設置され、前記攪拌軸の上側には前記駆動チャンバの上端壁に固定され、且つ前記攪拌軸と動力が伝達できるように連結されたモータが設置された。
【０００８】
好ましくは、前記駆動機構はまた前記駆動チャンバの左端壁と前記連結板と連結された連結バネを含み、前記電磁板の中には前記駆動チャンバに連通した二つの回転溝が設置され、前記回転溝の上下端壁の間には旋転軸が固定され、前記回転ロッドの一端が前記回転溝の中に位置しており、且つ前記旋転軸と回転できるように連結された。
【０００９】
好ましくは、前記フィルターケーキ取り除き機構はまた摩擦チャンバを含み、前記摩擦チャンバの左端壁の上側が前記濾過チャンバに連通しており、前記摩擦チャンバの中には前記加圧板の右端と接触して当接している摩擦ロッドが設置され、前記摩擦チャンバの下端壁には前記摩擦ロッドと互いに反発し又は吸引しあうことができる電磁ブロックが固定され、前記摩擦チャンバの上下端壁にはいずれも一端が前記摩擦ロッドと接触している制限バネが固定され、前記摩擦ロッドの中には前記摩擦ロッドを貫通している四つの流通孔が設置され、前記摩擦チャンバの右端壁には前記攪拌チャンバに連通した二つの濾過パイプが設置され、前記濾過パイプの中にはフィルタースクリーンが設置され、上側の前記フィルタースクリーンの下端壁には下側の前記濾過パイプを貫通しており、且つ外部空間に連通しているフィルターケーキ取り除きパイプが設置され、前記濾過パイプの下端壁の中には前記フィルターケーキ取り除きパイプを貫通している切断チャンバが設置され、前記切断チャンバの中には切断ブロックと、前記切断ブロックを復帰させることができる引っ張りバネとが設置され、前記切断ブロックの中には前記フィルターケーキ取り除きパイプに連通でき、且つ前記切断ブロックを貫通しているフィルターケーキ取り除き孔が設置され、前記切断チャンバの左端壁には前記摩擦チャンバに連通した伸縮チャンバが設置され、前記伸縮チャンバの中には前記摩擦ロッドと接触している伸縮ブロックが設置され、前記伸縮チャンバの上下端壁にはいずれも一端が前記伸縮ブロックと接触しているリミットバネが固定され、前記伸縮ブロックの一端には右端が前記切断ブロックと連結された細ひもが固定された。
【００１０】
好ましくは、前記加圧板と前記摩擦ロッドとの間の摩擦力が二つの前記制限バネの弾力よりはるかに大きく、前記加圧板と前記摩擦ロッドとの間の摩擦力が二つの前記制限バネの弾力と、前記電磁ブロックと前記摩擦ロッドとの間の斥力との和よりはるかに小さい。
【００１１】
好ましくは、前記伸縮ブロックと前記摩擦ロッドとの間の摩擦力が二つの前記リミットバネの弾力よりはるかに大きい。
【００１２】
好ましくは、後側の前記ラック板の右端が前記攪拌ギヤの後側に位置しており、前側の前記ラック板の右端が前記攪拌ギヤの前側に位置していない。
【発明の効果】
【００１３】
本発明の有益効果は：本発明は構成が簡単で、操作が便利で、当該装置は作動する時に加圧濾過を自動的に実現でき、これにより廃水の濾過処理効率を上げ、且つ装置が濾過の過程において、フィルターケーキへの取り除きを自動的に完成でき、次回の濾過の効果に影響することを避ける。
【図面の簡単な説明】
【００１４】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の実施例の構成模式図
【図２】図２は本発明の実施例のＡ―Ａの構成模式図
【図３】図３は本発明の実施例の回転ギヤの上側構成の上面拡大模式図
【図４】図４は本発明の実施例の駆動機構の部分断面の正面拡大構成模式図
【図５】図５は本発明の実施例の後側ラック板の部分断面の正面拡大構成模式図
【発明を実施するための形態】
【００１６】
図１〜５を参照し、本発明の車両を洗った後の廃水の収集リサイクル設備は、フィルター１と、前記フィルター１を支持する二つの支持ブロック６０とを含み、前記フィルター１の中にはまた駆動チャンバ３３が設置され、前記駆動チャンバ３３の下端壁の中には濾過チャンバ３７と攪拌チャンバ２２とが設置され、前記濾過チャンバ３７の中には絶えず濾過できる加圧濾過機構５６が設置され、前記加圧濾過機構５６は上端が前記駆動チャンバ３３の中に位置している回転軸３２を含み、前記攪拌チャンバ２２の中には攪拌機構５８が設置され、前記攪拌機構５８は上端が前記駆動チャンバ３３の中に位置している攪拌軸２４を含み、前記駆動チャンバ３３の中には前記回転軸３２と前記攪拌軸２４とを駆動して回転させる駆動機構５９が設置され、前記駆動機構５９は二つのラック板２７と、二つの前記ラック板２７に連結された連結板５２とを含み、前記回転軸３２の上端には前記ラック板２７と噛み合うことができる回転ギヤ４５が固定され、前記攪拌軸２４の上端には攪拌ギヤ２５が固定され、後側の前記ラック板２７の中には前方へ開口した電磁チャンバ６３が設置され、前記電磁チャンバ６３の中には前端が前記攪拌ギヤ２５と噛み合っているラックブロック６４と、前記ラックブロック６４と互いに反発し又は吸引しあうことができる電磁石６５が設置され、前記駆動チャンバ３３の上下端壁の中にはいずれも前記駆動チャンバ３３に連通したバネチャンバ３９が設置され、前記バネチャンバ３９の中にはバネブロック４０と、前記バネブロック４０を復帰させることができる伸縮バネ４１とが設置され、前記バネブロック４０の中には押出溝４３が設置され、前記押出溝４３の中には前記ラック板２７を押すことができる押出ブロック４４と、前記押出ブロック４４を復帰させることができる押出バネ４２とが設置され、前記  押出ブロック４４の一端にはまた一端が前記濾過チャンバ３７の上端壁を貫通しており、且つ前記濾過チャンバ３７の中に位置しているロープ４８が設置され、前記ロープ４８の下端には浮き板６１が固定され、前記回転ギヤ４５の上側には二つの互いに反発しあっている電磁板４７が設置され、且つ二つの前記電磁板４７の間が二つの圧縮バネ４９により連結され、二つの前記電磁板４７の間には四つの回転ロッド４６が設置され、二つずつの前記回転ロッド４６の一端が連結軸５０を通じてヒンジにより連結され、二つの前記ラック板２７がそれぞれ前記回転ギヤ４５と噛み合っており、これにより前記攪拌ギヤ２４が前記回転ギヤ４５を制御して順方向や逆方向へ回転させ、これにより前記加圧濾過機構５６を制御して絶えず加圧して濾過し、前記濾過チャンバ３７と前記攪拌チャンバ２２との間にはフィルターケーキ取り除き機構６７が設置され、毎回前記加圧濾過機構５６が作動を停止する時、前記フィルターケーキ取り除き機構６７がフィルターケーキの排出を自動的に実現する。
【００１７】
有益的には、前記加圧濾過機構５６は外部空間と前記濾過チャンバ３７と連通した入力パイプ３５を含み、前記入力パイプ３５の左端壁には前記入力パイプ３５と前記濾過チャンバ３７と連通した連通パイプ１０が設置され、前記濾過チャンバ３７の上端壁には前記入力パイプ３５の両側に位置しており、且つ下方へ開口した二つのバネ溝２が設置され、左側の前記バネ溝２の上端壁が前記連通パイプ１０を貫通しており、前記バネ溝２の中には下端が前記濾過チャンバ３７の中に位置しているバネロッド３と、前記バネロッド３を復帰させることができる復帰バネ３６とが設置され、左側の前記バネロッド３の中には前記バネロッド３を貫通しており、且つ前記連通パイプ１０に連通できる貫通孔３４が設置され、前記濾過チャンバ３７の中には前記入力パイプ３５を閉鎖でき、且つ前記バネロッド３の下端と固定的に連結された閉鎖板４が設置され、前記回転軸３２の下端には加圧板５がネジ山により連結され、前側の前記ロープ４８の下端が前記加圧板５を貫通しており、前記加圧板５の上端面にはまた上側の前記バネブロック４０に連結された弾性ひも３８が固定された。
【００１８】
有益的には、前記攪拌機構５８はまた前記攪拌軸２４の下端に固定された八つの攪拌羽根２３を含み、前記攪拌チャンバ２２の上端壁には外部空間に連通しており、且つ凝集剤を加えることができる加えパイプ２６が設置され、前記攪拌チャンバ２２の下端壁には外部空間に連通している排出パイプ１８が設置され、前記排出パイプ１８の中には第一電磁スイッチ１９が設置され、前記攪拌チャンバ２２の右端壁には外部空間に連通している排水パイプ２１が設置され、前記排水パイプ２１の中には第二電磁スイッチ５１と濾過膜２０とが設置され、前記攪拌軸２４の上側には前記駆動チャンバ３３の上端壁に固定され、且つ前記攪拌軸２４と動力が伝達できるように連結されたモータ２８が設置された。
【００１９】
有益的には、前記駆動機構５９はまた前記駆動チャンバ３３の左端壁と前記連結板５２と連結された連結バネ６２を含み、前記電磁板４７の中には前記駆動チャンバ３３に連通した二つの回転溝５４が設置され、前記回転溝５４の上下端壁の間には旋転軸５３が固定され、前記回転ロッド４６の一端が前記回転溝５４の中に位置しており、且つ前記旋転軸５３と回転できるように連結された。
【００２０】
有益的には、前記フィルターケーキ取り除き機構６７はまた摩擦チャンバ３１を含み、前記摩擦チャンバ３１の左端壁の上側が前記濾過チャンバ３７に連通しており、前記摩擦チャンバ３１の中には前記加圧板５の右端と接触して当接している摩擦ロッド５７が設置され、前記摩擦チャンバ３１の下端壁には前記摩擦ロッド５７と互いに反発し又は吸引しあうことができる電磁ブロック６６が固定され、前記摩擦チャンバ３１の上下端壁にはいずれも一端が前記摩擦ロッド５７と接触している制限バネ３０が固定され、前記摩擦ロッド５７の中には前記摩擦ロッド５７を貫通している四つの流通孔６が設置され、前記摩擦チャンバ３１の右端壁には前記攪拌チャンバ２２に連通した二つの濾過パイプ１１が設置され、前記濾過パイプ１１の中にはフィルタースクリーン１７が設置され、上側の前記フィルタースクリーン１７の下端壁には下側の前記濾過パイプ１１を貫通しており、且つ外部空間に連通しているフィルターケーキ取り除きパイプ１５が設置され、前記濾過パイプ１１の下端壁の中には前記フィルターケーキ取り除きパイプ１５を貫通している切断チャンバ１３が設置され、前記切断チャンバ１３の中には切断ブロック１６と、前記切断ブロック１６を復帰させることができる引っ張りバネ１４とが設置され、前記切断ブロック１６の中には前記フィルターケーキ取り除きパイプ１５に連通でき、且つ前記切断ブロック１６を貫通しているフィルターケーキ取り除き孔５５が設置され、前記切断チャンバ１３の左端壁には前記摩擦チャンバ３１に連通した伸縮チャンバ７が設置され、前記伸縮チャンバ７の中には前記摩擦ロッド５７と接触している伸縮ブロック９が設置され、前記伸縮チャンバ７の上下端壁にはいずれも一端が前記伸縮ブロック９と接触しているリミットバネ８が固定され、前記伸縮ブロック９の一端には右端が前記切断ブロック１６と連結された細ひも１２が固定された。
【００２１】
装置全体の機械作動の順序：
【００２２】
１．入力パイプ３５を通して濾過チャンバ３７の中に洗車廃水を入れ、廃水が後側の浮き板６１を上昇させ、これにより後側のロープ４８が緩み、これにより押出ブロック４４が押出バネ４２の作用のもとで前方へ押し出され、これにより後側のラック板２７が前方へ運動し、これによりラックブロック６４が前方へ運動し、これにより後側のラック板２７が回転ギヤ４５と噛み合い、ラックブロック６４が攪拌ギヤ２４と噛み合う。
【００２３】
２．モータ２８が作動して攪拌軸２４を連動させて回転させ、これにより攪拌ギヤ２５と攪拌羽根２３とを連動させて回転させ、攪拌ギヤ２５がラックブロック６４を連動させて左方へ運動させ、これによりラック板２７を連動させて左方へ運動させ、これにより回転ギヤ４５を回転させ、且つ連結バネ６２が圧縮され、回転ギヤ４５の回転が回転軸３２を連動させて回転させ、これにより加圧板５を上昇させ、これにより摩擦ロッド５７を上昇させ、これにより二つの流通孔６を濾過パイプ１１に連通させ、加圧板５の上昇とともに、廃水が濾過パイプ１１の中に押され、フィルタースクリーン１７の作用のもとで濾過され、濾過された後の水が攪拌チャンバ２２の中に流れ込み、攪拌チャンバ２２の中に凝集剤を入れ、これにより攪拌羽根２３の作用のもとで反応して沈殿を生じる。
【００２４】
３．加圧板５が一番上側まで上昇する時、加圧板５が二つの電磁板２７を制御して反発しあうことを停止させ、これにより二つの電磁板２７が圧縮バネ４９の作用のもとで互いに近づき、これにより回転ロッド４６が回転してラック板２７を押し、これによりラック板２７が回転ギヤ４５から離れ、ラックブロック６４が攪拌ギヤ２４から離れ、ラック板２７と連結板５２とが連結バネ６２の作用のもとで復帰し、加圧板５が一番上側まで上昇する時、閉鎖板４を連動させて上昇させ、これにより閉鎖板４が入力パイプ３５と濾過チャンバ３７との直接連通を閉鎖し、貫通孔３４が入力パイプ３５と連通パイプ１０と連通し、これにより入力パイプ３５から入った廃水が連通パイプ１０を通して加圧板５の下側に入る。
【００２５】
４．加圧板５が上昇する時、加圧板５が摩擦ロッド５７を連動させて上方へ運動させ、これにより伸縮ブロック９を連動させて上方へ運動させ、細ひも１２の伝動により切断ブロック１６を連動させて左方へ運動させ、これにより切断ブロック１６がフィルターケーキ取り除きパイプ１５を切断し、加圧板５が上昇を停止する時、電磁ブロック６６が作動して摩擦ロッド５７を復帰させ、これにより伸縮ブロック９を復帰させ、これにより切断ブロック１６を復帰させ、これによりフィルターケーキ取り除き孔５５がフィルターケーキ取り除きパイプ１５に連通し、これにより濾過で生じたフィルターケーキを排出し、摩擦ロッド５７が濾過パイプ１１と濾過チャンバ３７との連通を閉鎖する。
【００２６】
５．加圧板５の下側に再び水が満ちて前側の浮き板４８を上昇させる時、前側の押出ブロック４４を押し出し、これにより前側のラック板２７が後方へ運動して回転ギヤ４５と噛み合い、後側のラック板２７が後方へ運動し、この時、電磁石６５が作動してラックブロック６４と反発しあい、これによりラックブロック６４が攪拌ギヤ２４と噛み合い、これにより攪拌ギヤ２４が正常に回転する時、回転ギヤ４５が逆方向へ回転し、これにより回転軸３２が逆方向へ回転し、これにより加圧板５を下降させ、これにより再びフィルターケーキ取り除き機構６７を作動させ、濾過を行い、加圧板５が一番下側まで運動する時、電磁石６５が作動してラックブロック６４と吸引しあい、電磁板５２が加圧板５の制御のもとで反発しあうことを停止し、これによりラック板２７が再び復帰し、この時、電磁ブロック６６が作動してフィルターケーキ取り除き機構６７を復帰させ、装置が復帰を完成する。
【００２７】
６．凝集により沈殿を生じた後、第一電磁スイッチ１９と第二電磁スイッチ５１とをオンにし、これにより沈殿と水を排出する。
【００２８】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。